(57)【要約】【課題】  開閉式ハンガーの把持部の幅を小さくし、握りやすく女性でも扱いやすいようにすることによりハンガーへの衣類の脱着を容易にする。部品にばねなどの弾性体を使用しないことにより、屋外での耐久性の問題や把握する力の軽減を可能とする。【解決手段】把持部とハンガー部の間にリンク機構を設けることにより、握る幅を狭くし、弱い力で握ることが可能となった。また、開状態にするためには把持部を握ることで、閉状態にするには重力を利用することにより、ばね等を使用が必要なく、屋外での耐久性が向上する。ばね等の使用の必要がないため、より把握する力の軽減を可能となる。【選択図】図３
2013192617.tif 000002
【特許請求の範囲】
【請求項１】
把持部をグリップして、ハンガー部を広げ使用状態とし、ステー部を折り曲げてハンガー部を閉じるワンタッチ式開閉自在ハンガーであって、
リンク機構で構成されるハンガーモジュールと、
該ハンガーモジュールを挟み設けられる一対の支持板と、
前記ハンガーモジュールを前記支持板に回動自在に固定する一対の固定ピンと、
懸垂部材とから構成されており、
前記ハンガーモジュールが、
一方の端部が第１結合ピンにより回動自在に連結される一対のグリップ部材と、
該グリップ部材の他方の端部に、その一方の端部が第２結合ピンにより回動自在に連結される略X形状であって、クロスリンク部材が第３結合ピンにより回動自在に束ねられたクロスリンク部材と、
該クロスリンク部材の他方の端部に、その一方の端部が第４結合ピンにより回動自在に結合する一対のハンガーと、
該ハンガー部材の他方の端部に第５結合ピンにより回動自在に結合し、略中央部が第６結合ピンにより折り曲げ自在に屈曲部の設けられたステー部材とで構成されており、
前記支持板のグリップ部材を覆う部位の幅が、前記ハンガーモジュールより狭く、
前記第１結合ピンと前記第３結合ピンが位置する前記支持板位置に長孔が設けられることを特徴とする開閉自在ハンガー。
【請求項２】
前記開閉自在ハンガーが閉の状態にあるとき、
前記グリップ部材を把持し、握ることにより、グリップ部材幅を縮め、第１結合ピンと第３結合ピン間隔を拡張させ、前記ハンガー部材を前記１対の固定ピン回りに左右対称に開方向に回動させ、折り曲げられていた前記ステー部材を直線状に拡張させて開状態とし、
前記開閉自在ハンガーが開状態にあるとき、
直線状の前記ステー部材の屈曲部を折り曲げて、前記ハンガー部材を前記１対の固定ピン回りに左右対称に閉方向に回動させ、第１結合ピンと第３結合ピン間隔を縮小させグリップ部材の幅を拡張させて閉状態にすることを特徴とする請求項１に記載の開閉自在ハンガー。
【請求項３】
前記第１結合ピンと第３結合ピン間隔を拡張させるとき、前記第１結合ピンが前記支持板の長孔縁に当接し、変移が規制されることを特徴とする請求項１又は２の何れか１項に記載の開閉自在ハンガー。
【発明の詳細な説明】
【技術分野】
【０００１】
本発明は、衣類を容易に脱着させる為の開閉式ハンガーである。
【背景技術】
【０００２】
丸首シャツなどの首の狭く、ボタンなどの開閉手段の付いていない衣類（以下、丸首シャツ等）をハンガーに掛ける際は、通常、衣類の裾からハンガーを出し入れする。しかし、衣類の裾からのハンガーを出し入れすることは手間と時間がかかる。そのため、首の部分からハンガーを出し入れする場合も考えられる。しかし、首の部分を伸ばしてハンガーを入れることになるため、首の部分が伸びてしまう欠点がある。解決方法としては、ハンガーを開閉式にして、ハンガー部を衣類の首の部分よりも細く折りたたむ手段がある。
【０００３】
現在までに開閉式のハンガーは、特許、実用新案で多く出願されているが、片手でワンタッチに開閉のできるハンガーの出願は少ない。片手でワンタッチに開閉のできるハンガーにおいても把持部が広い、握る力が必要になる、ばね等を使用することにより屋外での耐久性の問題点があり、実用化が進んでいない。
【０００４】
片手の操作にて開閉できるハンガーに関する先行技術には、特開２００７−２７５５２９号公報（特許文献１）、特開２００５−１２４８８７号公報（特許文献２）などがある。これら先行技術についは以下に概説する。
【０００５】
特許文献１はL字型のハンガー部を交差し、交差部分にスライド機構を設け、重なることによりハンガー部を折りたたむことが可能となっている。開状態で把持部を握ることにより、閉状態となる。構造上折りたたまれた状態にて安定することから、衣類をかけた状態を保つためには、ばねなどが必要となる。ばねを使用することにより、握る力が必要となり、屋外での耐久性も低くなる。
【０００６】
特許文献２は閉状態から引張部を上部に引くことにより、ハンガー部を回動させて開状態となる。引く力がそのままハンガーを回動させる力に変わるため、握る力が必要となる。
【先行技術文献】
【特許文献】
【０００７】
【特許文献１】特開２００７−２７５５２９号公報
【特許文献２】特開２００５−１２４８８７号公報
【発明の概要】
【発明が解決しようとする課題】
【０００８】
開閉式ハンガーの把持部の幅を小さくし、握りやすく手の小さい方でも扱いやすいようにすることによりハンガーへの衣類の脱着を容易にする。部品にばねなどの弾性体を使用せずに、屋外での耐久性の問題や把握する力の軽減を可能とする。
【課題を解決するための手段】
【０００９】
本発明の第１の解決手段であるワンタッチ式開閉自在ハンガーは、使用状態とするために握る把持部３１と、衣類をかけるハンガー部４１と、ハンガー部４１を支えるステー部４２と、リンク機構からなるハンガーモジュールと、ハンガーモジュールを支える為の支持板２と、支持板２に回動自在にハンガーモジュールを固定するための固定ピン２１と、ハンガーを吊るすための懸垂部１から構成されている。
【００１０】
握る幅を狭く、ばねなどを使用しないためにハンガーモジュール内のリンク機構にはリンク部５１とクロスリンク部材５２が備わっている。このリンク部５１は、第１結合ピン１１と、第１結合ピン１１から回動自在に連結される一対のグリップ部３２と、グリップ部３２の他方に第２結合ピン１２で回動自在に連結される略X形状である。クロスリンク部材５２は第３結合ピン１３により回動自在に束ねられている。
【００１１】
クロスリンク部材５２の先には、第４結合ピン１４により回動自在に結合する一対のハンガーがある。ハンガー部４１の他方の端部に第５結合ピン１５により回動自在に結合して、略中央部が第６結合ピン１６により折り曲げ自在に屈曲部の設けられたステー部４２がある。
【００１２】
支持板２のグリップ部３２を覆う部位の幅が、ハンガーモジュールより狭く、第１結合ピン１１と第３結合ピン１３が位置する支持板２の位置に長孔４が設けられることが特徴である。
【００１３】
本発明の第２の解決手段は、使用方法を示している。ワンタッチ式開閉自在ハンガーを使用するためには、まず把持部３１を握る。把持部３１を握ることによりグリップ部３２の幅を縮められていく。そして、第１結合ピン１１と第３結合ピン１３の間隔を拡張させ、前記ハンガー部４１を前記１対の固定ピン２１回りに左右対称に開方向に回動させる。この回動が折り曲げられていた前記ステー部４２を直線状に拡張させて開状態とし、使用状態とする。
【００１４】
ワンタッチ式開閉自在ハンガーを閉じるときは、直線状の前記ステー部４２の屈曲部を折り曲げて、ハンガー部４１を１対の固定ピン２１回りに左右対称に閉方向に回動させ、第１結合ピン１１と第３結合ピン１３の間隔を縮小させグリップ部３２の幅を拡張させて閉状態にする。
【００１５】
本発明の第３の解決手段は、第１結合ピン１１と第３結合ピン１３間隔を拡張させるとき、第１結合ピン１１が前記支持板２の長孔３の縁に当接し、変移が規制されることを特徴とする。
【発明の効果】
【００１６】
本発明はハンガー部４１が閉の時は、丸首シャツ等の上部よりハンガー部４１を挿入することが可能となり、グリップ部３２を握ることで、ハンガー部４１が開となり、使用状態となる。薄手の丸首シャツ等は、小さな力でワンタッチで使用が可能となり、丸首シャツ等をハンガーより取り外す時もワンタッチ取り外すことができ、素早い脱着が可能となった。
【図面の簡単な説明】
【００１７】
【図１】図１はハンガー部の閉状態を示した図である。
【図２】図２はハンガー部が閉状態から使用状態への移行を示した図である。
【図３】図３はハンガー部の使用状態を示した図である。
【図４】図４は図3のA部の拡大図である。
【発明を実施するための形態】
【００１８】
ハンガーの開閉するための機構にリンク機構を使用することで、手の小さな方でも容易に開閉操作が可能となった。これにより、衣類の首の部分からハンガーを挿入することが可能となり、衣類の脱着を容易にし、時間短縮も容易になった。
【実施例】
【００１９】
図１は、ハンガー部４１の閉状態を示した図である。この閉の状態で衣類の首の部分からハンガー部４１を挿入する。衣類にハンガー部４１を挿入した状態でグリップ部３２を握ることにより開状態と移行させる。把持部３１のグリップ部３２を握ることにより第１結合ピン１１を支持板２に設けられた長孔３に沿い上方向へと移動させ、第１結合ピン１１と第３結合ピン１３の間隔は拡張される。第３結合ピン１３を支点として、一対の第４結合ピン１４を下方へと回転させ、クロスリンク部材５２は第３結合ピン１３を支点として伸長させられる。一対の第４結合ピン１４を下方に回転させることで、一対の固定ピン２１を支点として一対のハンガー部４１及びステー部４２が開かれる。第６結合ピン１６をステー部４２により下方に移動させる。
【００２０】
図２は、ハンガー部４１を閉状態から開状態に移行させる状態を示す。
閉状態から把持し続けると第１結合ピン１１が長孔３の上辺に達し、上方への移動を規制される。第１結合ピン１１の上方への移動が規制されると第３結合ピン１３が下方へ移動させられる。第１結合ピン１１と第３結合ピン１３の間隔は拡張され、第４結合ピン１４を矢印方向Bに回転させ、ハンガー部４１は閉状態から開状態への移行中の状態となる。
【００２１】
図３はハンガー部４１が全開し、ステー部４２は第６結合ピン１６と第５結合ピン１５の回動自在な動きにより直線状態となり、使用可能な状態を示す。図４は第６結合ピン１６にストッパー６１を付け、ステー部４２を水平に規制している状態を示している。ストッパー６１を使用することで使用時により安定する。
使用の際は懸垂部１を竿などに掛けて通常のハンガーと同様に使用する。
【００２２】
衣類を取り外す際はステー部４２の中央付近を支持板２の方向へ押すことにより第６結合ピン１６で折り曲げハンガー部４１に掛かる力で閉状態となり、容易に衣類を取り外すことができる。
【産業上の利用可能性】
【００２３】
ハンガーの開閉を容易にすることにより、衣類の脱着時間の短縮することが可能となる。衣類の脱着時間の短縮はクリーニングなどの衣類の脱着の効率を向上させる。
【符号の説明】
【００２４】
１         懸垂部
２         支持板
３         長孔（第１結合ピン）
４         長孔（第３結合ピン）
１１       第１結合ピン
１２       第２結合ピン
１３       第３結合ピン
１４       第４結合ピン
１５       第５結合ピン
１６       第６結合ピン
２１       固定ピン
３１       把持部
３２       グリップ部
４１       ハンガー部
４２       ステー部
５１       リンク部
５２       クロスリンク部材
６１       ストッパー
【図１】
2013192617.tif 000003
【図２】
2013192617.tif 000004
【図３】
2013192617.tif 000005
【図４】
2013192617.tif 000006